(57)【要約】【課題】ケース内へのセキュリティータグの組込性に優れた記録テープカートリッジの提供を課題とする。【解決手段】上ケース１４と下ケース１６とからなり、記録テープＴが巻装されたリール２０を収容するケース１２と、上ケース１４の天板１４Ａと下ケース１６の底板１６Ａとの間で狭持され、外部と送受信可能な柱状のセキュリティータグ１１０と、天板１４Ａ及び底板１６Ａの少なくとも一方に形成され、セキュリティータグ１１０の縁部１１６を上下方向及び上下方向と直交する方向から押さえる押さえ面１２６を備えた保持部１２０と、を有する記録テープカートリッジ１０とする。【選択図】図６
2011070747.tif 000002
【特許請求の範囲】
【請求項１】
上ケースと下ケースとからなり、記録テープが巻装されたリールを収容するケースと、
前記上ケースの天板と前記下ケースの底板との間で狭持され、外部と送受信可能な柱状のセキュリティータグと、
前記天板及び前記底板の少なくとも一方に形成され、前記セキュリティータグの縁部を上下方向及び上下方向と直交する方向から押さえる押さえ面を備えた保持部と、
を有することを特徴とする記録テープカートリッジ。
【請求項２】
前記押さえ面は、上下方向に対して傾斜された傾斜面とされていることを特徴とする請求項１に記載の記録テープカートリッジ。
【発明の詳細な説明】
【技術分野】
【０００１】
本発明は、磁気テープ等の記録テープが巻装されたリールを備えた記録テープカートリッジに関し、更に詳しくはセキュリティー機能を備えた記録テープカートリッジに関する。
【背景技術】
【０００２】
従来から、磁気テープ等の記録テープをリールに巻装し、そのリールをケース内に単一で収容してなる記録テープカートリッジが知られている。この記録テープカートリッジは、コンピューター等のデータ記録再生媒体（データバックアップ）として使用されることが多いため、盗難防止用のセキュリティー対策が施されることがある。
【０００３】
例えば、所定のセキュリティーエリアから記録テープカートリッジが搬出されると、そのセキュリティーエリアの出入口に設けられたゲート等から警報音が発生して、記録テープカートリッジの盗難が心理的に防止されるように、記録テープカートリッジのケース内には、外部と送受信可能なセキュリティータグが設けられている（例えば、特許文献１参照）。
【先行技術文献】
【特許文献】
【０００４】
【特許文献１】特開２００８−９０９４２号公報
【発明の概要】
【発明が解決しようとする課題】
【０００５】
しかしながら、特許文献１に記載のセキュリティータグは、収納容器に収納されるとともに、その収納容器がケースの柱状突起にブッシュナットや熱かしめ等によって固定されることで、ケース内に設けられている。したがって、そのセキュリティータグをケース内に組み込む工程が煩瑣になる不具合がある。
【０００６】
そこで、本発明は、上記事情に鑑み、ケース内へのセキュリティータグの組込性に優れた記録テープカートリッジを得ることを目的とする。
【課題を解決するための手段】
【０００７】
上記の目的を達成するために、本発明に係る請求項１に記載の記録テープカートリッジは、上ケースと下ケースとからなり、記録テープが巻装されたリールを収容するケースと、前記上ケースの天板と前記下ケースの底板との間で狭持され、外部と送受信可能な柱状のセキュリティータグと、前記天板及び前記底板の少なくとも一方に形成され、前記セキュリティータグの縁部を上下方向及び上下方向と直交する方向から押さえる押さえ面を備えた保持部と、を有することを特徴としている。
【０００８】
請求項１に記載の発明によれば、上ケースと下ケースとを接合してケースを組み立てるだけで、上ケースの天板及び下ケースの底板の少なくとも一方に形成された保持部の押さえ面により、セキュリティータグの縁部が上下方向及び上下方向と直交する方向から押さえられる。したがって、ケース内へのセキュリティータグの組込性に優れるとともに、そのセキュリティータグの位置決め保持が容易にできる。
【０００９】
また、請求項２に記載の記録テープカートリッジは、請求項１に記載の記録テープカートリッジにおいて、前記押さえ面が、上下方向に対して傾斜された傾斜面とされていることを特徴としている。
【００１０】
請求項２に記載の発明によれば、セキュリティータグを位置決め保持する押さえ面の剛性を確保することができる。
【発明の効果】
【００１１】
以上のように、本発明によれば、ケース内へのセキュリティータグの組込性に優れた記録テープカートリッジを提供することができる。
【図面の簡単な説明】
【００１２】
【図１】記録テープカートリッジの概略斜視図
【図２】本実施例に係る保持部を備えた記録テープカートリッジを上方から見た場合の概略分解斜視図
【図３】本実施例に係る保持部を備えた記録テープカートリッジを下方から見た場合の概略分解斜視図
【図４】セキュリティータグを保持する本実施例に係る保持部を示す上ケースの概略斜視図
【図５】セキュリティータグが配置されるエリアを示す下ケースの概略平面図
【図６】セキュリティータグを保持する上ケース及び下ケースを示す概略斜視図
【図７】セキュリティータグを保持した状態の上ケース及び下ケースを示す概略正断面図
【図８】セキュリティータグが配置されるエリアを示す別の下ケースの概略斜視図
【図９】セキュリティータグを保持した状態の別の上ケース及び下ケースを示す概略正断面図
【図１０】セキュリティータグが内蔵されていることを示す文字が印刷されたケースの概略斜視図
【発明を実施するための形態】
【００１３】
以下、本発明の実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０の概略構成について説明する。
【００１４】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、ビス止めによって接合されて構成されている。
【００１５】
すなわち、上ケース１４及び下ケース１６には、ビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００１６】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１７】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされている。
【００１８】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００１９】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン（リーダー部材）３０が固着されている。記録テープＴの幅方向端部より突出したリーダーピン３０の両端部には、環状溝３２が形成されており、この環状溝３２が引出部材のフック等に係止されるようになっている。
【００２０】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２１】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２２】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２３】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２４】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２５】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２６】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２７】
また更に、下ケース１６の底板１６Ａには、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の底板１６Ａの下面から突出することはない。また、図２で示すように、ケース１２の右後部には、記録容量、記録形式等の各種情報が記憶されたメモリーボードＭが所定の傾斜角度で配置されるようになっている。
【００２８】
また、図２、図３で示すように、リールハブ２２の底壁２８の上面周縁には、係合ギア４８が所定の間隙を隔てて（等間隔に）複数（例えば１２０°間隔で３個）立設されており、その係合ギア４８の間で、リールギア４４上となる所定位置には、貫通孔２８Ａが複数（この場合は１２０°間隔で３個）穿設されている。そして、そのリールハブ２２の内部には、樹脂材で成形された円板状の制動部材８０が挿設される。
【００２９】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３０】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３１】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３２】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３３】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。
【００３４】
また、下ケース１６の底板１６Ａ下面における前壁１２Ａ側には、記録テープカートリッジ１０がドライブ装置に装填されたときに、そのドライブ装置に設けられた位置決め部材（図示省略）が挿入される位置決め用の穴部１０２、１０４が左右方向に離隔して形成されている（図３参照）。
【００３５】
右側の穴部１０２は略円形状に形成され、左側の穴部１０４は左右方向に長い略楕円形状に形成されている。これにより、記録テープカートリッジ１０がドライブ装置に左右方向に多少ずれて装填されても、その位置決め部材が確実に挿入される構成であり、その位置ずれが矯正される構成である。そして、下ケース１６の底板１６Ａ内面には、その穴部１０２、１０４を構成するボスとしての袋部１０３、１０５が、上ケース１４側へ突出する凸形状（突起形状）に形成されている（図２参照）。
【００３６】
また、下ケース１６の穴部１０４（袋部１０５）の前方側における前壁１２Ａ（周壁１６Ｂ）には、底面視略「Ｖ」字状の凹部１０６が形成されている（図１〜図３参照）。この凹部１０６は、記録テープカートリッジ１０がドライブ装置に装填されたときに、そのドライブ装置に設けられた位置規制部材（図示省略）が係合するようになっており、これによって、記録テープカートリッジ１０の装填方向の位置が規制されるようになっている。
【００３７】
そして、その前壁１２Ａ（周壁１６Ｂ）の内面には、凹部１０６を構成したことによって後方へ向かって張り出された平面視略三角形状の張出壁部１０７が形成されている（図２参照）。また、この張出壁部１０７の左側壁には、左斜め後方に向かってリブ１０８が延設されており、そのリブ１０８は、下ケース１６の左壁１２Ｃ（周壁１６Ｂ）に連設されている（図５参照）。なお、上ケース１４においても、同様のリブ１０８が形成されている（図４参照）。
【００３８】
そして、そのリブ１０８と、張出壁部１０７と、ケース１２の左前コーナー部におけるビスボス１５と、遊動規制壁４２と、袋部１０５とで囲まれた空間が設置スペース１００とされ、その設置スペース１００内に、後述するセキュリティータグ１１０が配置され、後述する保持部１２０によって、そのセキュリティータグ１１０が保持されるようになっている。
【００３９】
そこで次に、記録テープカートリッジ１０に付加されたセキュリティー機能について説明する。すなわち、所定のセキュリティーエリアから記録テープカートリッジ１０が搬出されるのを防止するために、その記録テープカートリッジ１０のケース１２内に設けられたセキュリティータグ１１０と、そのセキュリティータグ１１０を保持する保持部１２０について説明する。
【００４０】
セキュリティータグ１１０は、両端部にフランジが形成された円柱状の磁性コアと、磁性コアにおける各フランジで挟まれた外周面に線材を巻回して形成されたコイルと、を備えて、全体として円筒状に構成されている。巻線の両端にはコンデンサのリード端子が並列接続されており、セキュリティーエリアのゲート（図示省略）に設けられた発信アンテナ及び受信アンテナ（外部）と送受信可能に構成されている。
【００４１】
つまり、このセキュリティータグ１１０を内蔵した記録テープカートリッジ１０が、セキュリティーエリアの出入口に対向配置されたゲートを通過すると、そのゲートに設けられた発信アンテナ及び受信アンテナと、記録テープカートリッジ１０のケース１２内に設けられたセキュリティータグ１１０との間で電波が送受信され、記録テープカートリッジ１０がセキュリティーエリアから搬出されたことが検知されるようになっている。
【００４２】
したがって、この検知により、そのセキュリティーエリア（ゲート等）から警報音等が発生するようなシステムとすれば、記録テープカートリッジ１０の盗難や不用意な持ち出し（搬出）を心理的に防止することができる。なお、本実施形態に係るセキュリティータグ１１０は、図２、図３で示すように、円柱状に形成されているが、これに限定されるものではなく、柱状（棒状）に形成されてさえいれば、例えば角柱状や円筒状等に形成されていてもよい。
【００４３】
一方、保持部１２０は、図４、図７で示すように、設置スペース１００内における上ケース１４の天板１４Ａ内面に、下方に向かって突設された円柱状のボス（突起）で構成されており、下ケース１６に上ケース１４が被されて両者がビスで接合された状態のときに、設置スペース１００内における下ケース１６の底板１６Ａ内面に縦置きされた（軸心が上下方向を向くように置かれた）セキュリティータグ１１０の上縁部１１６（天面１１２と周面１１４との境界部分）を、斜め上方から押さえるようになっている。
【００４４】
すなわち、この保持部１２０の直径Ｒ２は、セキュリティータグ１１０の直径Ｒ１よりも大径とされており、その先端部（下部）には、セキュリティータグ１１０の天面１１２と対向するとともに、その直径Ｒ１よりも小径とされた直径Ｒ３を有する底面視円形状の被覆面１２２が形成されている。そして、その被覆面１２２よりも径方向外側の周縁部には、下方に向かって突出する突出部１２４が形成されており、その突出部１２４における径方向内側の面が、上下方向に対して所定角度θ（例えばθ＝４５°）で傾斜する傾斜面とされている。
【００４５】
つまり、この傾斜面が、セキュリティータグ１１０の上縁部１１６を斜め上方（径方向外側）から、即ち上下方向及び上下方向と直交する方向から押さえる押さえ面１２６とされており、この押さえ面１２６によって、セキュリティータグ１１０が、下ケース１６の底板１６Ａ内面に沿って（上下方向と直交する方向へ）移動しないように、かつ上下方向へ移動しないように、その位置が規制される（位置決め保持される）ようになっている。
【００４６】
なお、下ケース１６に上ケース１４を被せてビスによって両者を接合する際のケース１２の組立性を考慮すると、押さえ面１２６の傾斜角度θは、上下方向に対して４５°以上とされることが望ましい。また、本実施形態における「保持」とは、前後方向、左右方向、上下方向（所謂Ｘ方向、Ｙ方向、Ｚ方向）のうち、少なくとも１つの方向への移動を規制することを意味する。
【００４７】
また、押さえ面１２６を有する突出部１２４は、被覆面１２２の周方向に沿って環状に形成される構成に限定されるものではなく、例えば等間隔に（放射状に）３個以上断続的に形成される構成であってもよい。本実施形態に係る押さえ面１２６は、等間隔に（放射状に）少なくとも３面あれば、セキュリティータグ１１０を位置決め保持することができる（セキュリティータグ１１０の上下方向及び上下方向と直交する方向への移動を規制することができる）。
【００４８】
また、押さえ面１２６は、所定角度θで傾斜した傾斜面に限定されるものではなく、セキュリティータグ１１０の上下方向及び上下方向と直交する方向への移動を規制できる形状になっていれば、例えば段部（図示省略）を有する形状とされていてもよい。但し、押さえ面１２６が所定角度θで傾斜した傾斜面とされていると、段部を有する形状に形成されている場合に比べて、突出部１２４の剛性を確保することができる。
【００４９】
また、保持部１２０の形状も、図示の円柱状に限定されるものではなく、セキュリティータグ１１０を位置決め保持できる（セキュリティータグ１１０の上下方向及び上下方向と直交する方向への移動を規制できる）押さえ面１２６を有していれば、例えば角柱状や円筒状等に形成されていてもよい。更に、この保持部１２０の形状は、セキュリティータグ１１０の形状に合わせて、適宜設計変更してもよい。
【００５０】
また、設置スペース１００内における下ケース１６の底板１６Ａ内面には、図５〜図７で示すように、セキュリティータグ１１０を配置するエリアを示すとともに、縦置きされたセキュリティータグ１１０が底板１６Ａ内面上を摺動しないように、そのセキュリティータグ１１０の底面１１８に対して摺動抵抗を付与する平面視円形状等の粗面１７を形成することが望ましい。なお、この粗面１７の直径Ｒ４は、保持部１２０の直径Ｒ２よりも小径で構わない。
【００５１】
また、粗面１７ではなく、例えば図８で示すように、設置スペース１００内における下ケース１６の底板１６Ａ内面に、セキュリティータグ１１０を配置するエリアを示す一対のリブ（突起）１２８を所定高さ（セキュリティータグ１１０を保持できる程度の高さ）で一体に突設してもよい。つまり、この一対のリブ１２８間に、セキュリティータグ１１０を挿入する構成にしてもよい。
【００５２】
この一対のリブ１２８は、互いに１８０°反対側に位置して対向する平面視円弧状に形成され、セキュリティータグ１１０の周面１１４に沿うように、その曲率が、セキュリティータグ１１０の周面１１４の曲率と同一とされている。そして、この一対のリブ１２８は、互いの長手方向（周方向）中央部における離隔距離が、セキュリティータグ１１０の直径Ｒ１と同一か、それよりも若干大となるように形成されている。
【００５３】
これにより、セキュリティータグ１１０の寸法ばらつきに対応可能となる構成である。なお、一対のリブ１２８ではなく、環状のリブ（図示省略）としてもよいし、下ケース１６の底板１６Ａ内面に、セキュリティータグ１１０の周面１１４下部を挿入させる平面視円形状の凹部（図示省略）を形成し、その凹部によって、セキュリティータグ１１０を配置するエリアを示す構成にしてもよい。
【００５４】
本実施形態では、上ケース１４側にセキュリティータグ１１０を位置決め保持する保持部１２０が形成される構成であるため、下ケース１６側におけるセキュリティータグ１１０の位置決め精度は緩和して構わない。また、このような保持部１２０は、下ケース１６側に設けてもよく、更には上ケース１４と下ケース１６の両方に設けてもよい。
【００５５】
例えば、セキュリティータグ１１０の周面１１４下部を挿入させる上記凹部の周縁に、押さえ面１２６と同様に所定角度θで傾斜した押さえ面（図示省略）を形成し、その押さえ面で、セキュリティータグ１１０の下縁部（底面１１８と周面１１４との境界部分）を斜め下方（上下方向及び上下方向と直交する方向）から押さえる構成としてもよい。
【００５６】
以上のような構成の記録テープカートリッジ１０において、次にその作用について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００５７】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。
【００５８】
すると、その凸部５６が突設されているドア５０は、右壁１２Ｂに沿って溝部６４内を後側へ摺動し、開口１８を開放する。また、このとき、ドライブ装置に設けられた位置規制部材が、ケース１２（下ケース１６）の前壁１２Ａに形成された凹部１０６に係合する。これにより、記録テープカートリッジ１０の装填方向における位置（深さ）が規制される。
【００５９】
こうして、記録テープカートリッジ１０がドライブ装置に所定深さ装填され、開口１８が完全に開放されると、記録テープカートリッジ１０は所定高さ下降し、ドライブ装置の位置決め部材が、下ケース１６に形成された位置決め用の穴部１０２、１０４に挿入される。これにより、記録テープカートリッジ１０がドライブ装置内における所定位置に正確に位置決めされ、ドア５０のそれ以上の摺動（後方への移動）が規制される。
【００６０】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００６１】
そして、駆動ギアとリールギア４４とが完全に噛合した状態で、リールプレート４６が、駆動ギアの径方向内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００６２】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００６３】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００６４】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部１０２、１０４から抜き出されるとともに、回転シャフトがギア開口４０から抜き出され、リールギア４４に対する駆動ギアの噛合が解除される。
【００６５】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００６６】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００６７】
ここで、そのドライブ装置内から排出された記録テープカートリッジ１０を所定のセキュリティーエリアから搬出した場合には、警報音が発生し、その搬出が防止されるようになっている。すなわち、記録テープカートリッジ１０のケース１２内には、外部と送受信可能なセキュリティータグ１１０が設けられている。
【００６８】
したがって、セキュリティーエリアの出入口に設けられたゲートを通過すると、そのゲートに設けられた発信アンテナ及び受信アンテナと、セキュリティータグ１１０との間で電波が送受信され、記録テープカートリッジ１０のセキュリティーエリアからの搬出が検知される。よって、この検知により、例えばゲート等から警報音が発生するようになっていれば、記録テープカートリッジ１０の盗難や不用意な持ち出し（搬出）を心理的に防止することができる。
【００６９】
また、このセキュリティータグ１１０は、その上縁部１１６が、上ケース１４の天板１４Ａ内面に形成された保持部１２０の押さえ面１２６によって、斜め上方（径方向外側）から押さえられつつ、上ケース１４の天板１４Ａ内面（保持部１２０）と下ケース１６の底板１６Ａ内面との間で狭持されることで、ケース１２に対して位置決め保持されている。つまり、このセキュリティータグ１１０は、その上縁部１１６が、所定角度θで傾斜した押さえ面１２６によって、上下方向及び上下方向と直交する方向から押さえられることで、その上下方向及び上下方向と直交する方向への移動が規制されるようになっている。
【００７０】
したがって、ケース１２内におけるセキュリティータグ１１０の配設位置を安定させることができ、セキュリティータグ１１０と、ゲートに設けられた発信アンテナ及び受信アンテナとの通信精度を向上させることができる。よって、記録テープカートリッジ１０がゲートを通過したことを確実に検知することができる。なお、このとき、セキュリティータグ１１０を配置する下ケース１６の底板１６Ａ内面に粗面１７を形成することが望ましく、これによれば、セキュリティータグ１１０の位置ずれをより確実に防止することができる。
【００７１】
また、セキュリティータグ１１０は、設置スペース１００内における下ケース１６の底板１６Ａ内面（粗面１７上）に上方から配置した後、上ケース１４を下ケース１６に被せて両者をビスで接合することにより、保持部１２０（押さえ面１２６）を介して、位置決め保持される構造とされている。したがって、そのセキュリティータグ１１０を下ケース１６の設置スペース１００内に組み込み易く、ケース１２に対して位置決め保持し易い。
【００７２】
つまり、このような構造とされていることにより、ケース１２内へのセキュリティータグ１１０の組込性に優れ、結果的に記録テープカートリッジ１０全体の組立性を向上させることができる。しかも、この押さえ面１２６は、セキュリティータグ１１０の上縁部１１６を斜め上方（径方向外側）から押さえるため、セキュリティータグ１１０の径方向における寸法ばらつきに対応可能となるメリットがある。
【００７３】
このように、セキュリティータグ１１０を上下方向及び上下方向と直交する方向から押さえて位置決め保持する押さえ面１２６を有する保持部１２０を、上ケース１４（ケース１２）に備えれば、セキュリティーエリアからの盗難防止用として高性能なセキュリティー機能が付加された記録テープカートリッジ１０を簡単かつ安価に得ることができ、所定のセキュリティーエリアからの記録テープカートリッジ１０の盗難や不用意な持ち出し（搬出）を確実に防止することができる。
【００７４】
なお、記録テープカートリッジ１０をセキュリティーエリアから搬出するのを更に心理的に防止するために、図９、図１０で示すように、セキュリティータグ１１０が内蔵されている記録テープカートリッジ１０であることを外部から認識可能とする認識部１３０を、ケース１２に形成するようにしてもよい。
【００７５】
すなわち、例えば図９で示すように、ケース１２の天面（上ケース１４の天板１４Ａ外面）で、かつ保持部１２０の直上に平面視円形状の凹部１３２等を形成してもよい。保持部１２０の直上に凹部１３２を形成すると、その保持部１２０によって上ケース１４の天板１４Ａの厚みが増すことによる樹脂材のヒケを防止できるメリットがある。また、例えば図１０で示すように、ケース１２の天面（上ケース１４の天板１４Ａ外面）に、「Ｓｅｃｕｒｉｔｙ」等の文字を印刷等によって形成してもよい。
【００７６】
以上、本実施形態に係る記録テープカートリッジ１０について説明したが、本実施形態に係る記録テープカートリッジ１０は、図示の各実施例に限定されるものではなく、本発明の要旨を逸脱しない範囲内において、適宜設計変更可能なものである。例えば、セキュリティータグ１１０が、設置スペース１００内に横置きされた（軸心が上下方向と直交する方向を向くように置かれた）場合には、それに対応可能なように、保持部１２０の形状を適宜設計変更して構わない。
【００７７】
また、セキュリティータグ１１０の高さが変更されたり、セキュリティータグ１１０の直径が変更されても、セキュリティータグ１１０を位置決め保持できるように、保持部１２０の大きさを適宜設計変更して構わない。何れにしても、本実施形態に係る保持部１２０は、ケース１２（上ケース１４）に一体に形成されるものであるため、別途セキュリティータグ１１０を保持するための保持部材等を必要としない。したがって、部品点数が増えることがなく、製造コスト的に有利となるメリットがある。
【００７８】
また、本実施形態では、ケース１２内にリール２０が単一で収容されたデータバックアップ用の記録テープカートリッジ１０について説明したが、ケース内にリールが２個収容されるビデオテープ用の記録テープカセット等にも、当然ながら本発明を適用することが可能である。
【００７９】
更に、リール２０に巻回される記録テープＴは、情報の記録及び記録した情報の再生が可能な長尺テープ状の情報記録再生媒体として把握されるものであれば足り、リール２０を収容する記録テープカートリッジ１０が、如何なる記録再生方式の記録テープＴにも適用可能であることは言うまでもない。
【符号の説明】
【００８０】
１０  記録テープカートリッジ
１２  ケース
１４  上ケース
１４Ａ  天板
１６  下ケース
１６Ａ  底板
１７  粗面
２０  リール
３０  リーダーピン
１００  設置スペース
１１０  セキュリティータグ
１１６  上縁部（縁部）
１２０  保持部
１２２  被覆面
１２４  突出部
１２６  押さえ面
１２８  リブ
１３０  認識部
１３２  凹部
Ｔ  記録テープ
【図１】
2011070747.tif 000003
【図２】
2011070747.tif 000004
【図３】
2011070747.tif 000005
【図４】
2011070747.tif 000006
【図５】
2011070747.tif 000007
【図６】
2011070747.tif 000008
【図７】
2011070747.tif 000009
【図８】
2011070747.tif 000010
【図９】
2011070747.tif 000011
【図１０】
2011070747.tif 000012